(57)【要約】【課題】トイレの使用状態をトイレ使用経過時間に応じて段階的に表示するようにした構成においても、健常者の長時間使用が要介助者の使用中の異常と誤認されることのないトイレ監視システムを提供する。【解決手段】トイレ使用経過時間の長さに応じて各表示灯５０，６０に互いに異なる複数の表示を段階的に表示させるようにしたので、各表示灯５０，６０の表示段階によりトイレ使用経過時間の長さを確認することができる。この場合、使用者Ａの大便器２への着座を検知し且つ補助部材３の使用を検知すると、トイレ使用経過時間の計時を開始するようにしたので、トイレ使用経過時間に応じた各表示灯５０，６０の段階的な表示を補助部材３が使用された場合のみ行うことができ、補助部材３を使用しない健常者の使用時間が長い場合でも、要介助者が異常状態に陥っているものと誤認されることがない。【選択図】図８
2018175290.tif 000002
【特許請求の範囲】
【請求項１】
トイレ室内に設置された大便器と、大便器に着座した使用者の前方に位置することにより使用者の大便器使用動作を補助する補助部材とを備え、補助部材を使用するときは補助部材を使用者の前方の所定の使用位置に移動し、補助部材を使用しないときは補助部材を使用者の前方から他の位置に移動するようにしたトイレに用いられるトイレ監視システムにおいて、
前記トイレ室内の大便器に着座した使用者を検知する第１の検知手段と、
前記補助部材の使用を検知する第２の検知手段と、
トイレの使用状態を表示する使用状態表示手段と、
使用者の大便器への着座を第１の検知手段によって検知し且つ補助部材の使用を第２の検知手段によって検知するとトイレ使用経過時間の計時を開始する計時手段と、
計時手段によって計時されるトイレ使用経過時間の長さに応じて使用状態表示手段に互いに異なる複数の表示を段階的に表示させる制御手段とを備えた
ことを特徴とするトイレ監視システム。
【請求項２】
前記使用状態表示手段は、トイレ使用状態をトイレ室の外部に表示する外部表示手段と、トイレ使用状態をトイレ室の内部に表示する内部表示手段とを有する
ことを特徴とする請求項１記載のトイレ監視システム。
【請求項３】
前記使用状態表示手段を、トイレ使用経過時間に応じた各段階の表示がそれぞれ異なった色で表示されるように構成した
ことを特徴とする請求項１または２記載のトイレ監視システム。
【請求項４】
前記使用状態表示手段におけるトイレ使用経過時間に応じた各段階の表示時間を任意に変更可能な表示時間変更手段を備えた
ことを特徴とする請求項１、２または３記載のトイレ監視システム。
【請求項５】
前記トイレ室内の使用者が外部に音声を出力可能な音声出力手段を備えた
ことを特徴とする請求項１、２、３または４記載のトイレ監視システム。
【請求項６】
前記音声出力手段を、使用者の大便器への着座が第１の検知手段によって検知され且つ補助部材の使用が第２の検知手段によって検知されると音声の出力が可能になるように構成した
ことを特徴とする請求項５記載のトイレ監視システム。
【請求項７】
前記トイレ室内の所定高さ位置で使用者の身体を検知する第３の検知手段と、
第３の検知手段よりも低い他の所定高さ位置で使用者の身体を検知する第４の検知手段と、
第４の検知手段によって使用者の身体が検知され且つ第３の検知手段によって使用者の身体が検知されていないときに所定の警報を出力する警報手段とを備えた
ことを特徴とする請求項１、２、３、４、５または６記載のトイレ監視システム。
【発明の詳細な説明】
【技術分野】
【０００１】
本発明は、例えば病院や介護施設等のトイレに用いられ、トイレ使用者の使用状況を監視するためのトイレ監視システムに関するものである。
【背景技術】
【０００２】
一般に、病院や介護施設のトイレは、病人やけが人、高齢者など、足腰が不自由な要介助者が使用する場合が多いため、このような使用者のトイレ使用動作を補助する補助部材を備えたものが知られている（例えば、特許文献１参照）。この補助部材は、大便器の側方の壁に一端を回動自在に連結され、補助部材を使用者の前方位置まで回動することにより、大便器に着座した使用者が補助部材を把持して着座姿勢を保持できるようになっている。また、補助部材を使用しないときは補助部材を回動して側方の待機位置に移動するようになっている。
【０００３】
ところで、前記トイレ使用者が使用中に具合が悪くなり、自ら動くこともできずに長時間放置される場合がある。このような場合、トイレ内に設けられた呼出ボタンを押して外部に通報することもできるが、呼出ボタンを押すことができないような異常状態に陥っている場合もあり、呼出ボタンの設置のみでは使用者の異変に十分に対応することができなかった。
【０００４】
そこで、このような問題を解決するようにしたものとして、トイレ室内に設けた人感センサによって使用者を検知すると、トイレの外部に設けた表示灯を点灯して使用中を表示するとともに、タイマによってトイレ使用経過時間を計時し、トイレ使用経過時間の長さに応じて表示灯の表示色を異なった表示色に複数段階に切り換えるようにしたものが知られている（例えば、特許文献２参照）。これにより、表示灯の表示色によって外部からトイレ使用経過時間を確認することができるので、トイレの使用が異常に長い場合は何らかの異変が生じたものと判断して使用者を救護することが可能となる。
【先行技術文献】
【特許文献】
【０００５】
【特許文献１】特開２０１５−１６００３６号公報
【特許文献２】特開２０１１−１７０８２７号公報
【発明の概要】
【発明が解決しようとする課題】
【０００６】
しかしながら、前記トイレは健常者が使用する場合もあるため、健常者の使用時間が長い場合も表示灯の表示色が切り換わり、場合によっては要介助者が異常状態に陥っているものと誤認されてトイレ内に駆け込まれるという事態が発生するおそれがあった。
【０００７】
本発明は上記事情に鑑みてなされたものであり、その目的とするところは、トイレの使用状態をトイレ使用経過時間に応じて段階的に表示するようにした構成においても、健常者の長時間使用が要介助者の使用中の異常と誤認されることのないトイレ監視システムを提供することにある。
【課題を解決するための手段】
【０００８】
本発明は前記目的を達成するために、トイレ室内に設置された大便器と、大便器に着座した使用者の前方に位置することにより使用者の大便器使用動作を補助する補助部材とを備え、補助部材を使用するときは補助部材を使用者の前方の所定の使用位置に移動し、補助部材を使用しないときは補助部材を使用者の前方から他の位置に移動するようにしたトイレに用いられるトイレ監視システムにおいて、前記トイレ室内の大便器に着座した使用者を検知する第１の検知手段と、前記補助部材の使用を検知する第２の検知手段と、トイレの使用状態を表示する使用状態表示手段と、使用者の大便器への着座を第１の検知手段によって検知し且つ補助部材の使用を第２の検知手段によって検知するとトイレ使用経過時間の計時を開始する計時手段と、計時手段によって計時されるトイレ使用経過時間の長さに応じて使用状態表示手段に互いに異なる複数の表示を段階的に表示させる制御手段とを備えている。
【０００９】
これにより、トイレ使用経過時間の長さに応じて使用状態表示手段に互いに異なる複数の表示が段階的に表示されることから、使用状態表示手段の表示段階によりトイレ使用経過時間の長さを確認することができる。この場合、使用者の大便器への着座が第１の検知手段によって検知され、且つ補助部材の使用が第２の検知手段によって検知されると、トイレ使用経過時間の計時が開始されることから、トイレ使用経過時間に応じた使用状態表示手段の段階的な表示を補助部材が使用された場合のみ行うことができる。
【発明の効果】
【００１０】
本発明によれば、使用状態表示手段の表示段階によりトイレ使用経過時間の長さを確認することができるので、トイレの使用が異常に長い場合は何らかの異変が生じたものと判断して使用者を救護することができる。この場合、トイレ使用経過時間に応じた使用状態表示手段の段階的な表示を補助部材が使用された場合のみ行うことができるので、補助部材を使用しない健常者の使用時間が長い場合でも、要介助者が異常状態に陥っているものと誤認されてトイレ内に駆け込まれるという事態が発生することがなく、トイレの監視を常に的確に行うことができる。
【図面の簡単な説明】
【００１１】
【図１】本発明のトイレ監視システムを備えた第１の実施形態を示すトイレの平面断面図
【図２】トイレの正面断面図
【図３】トイレの側面断面図
【図４】制御系を示すブロック図
【図５】音声出力装置の構成図
【図６】表示時間の設定例を示す図
【図７】トイレの使用状況を示す平面断面図
【図８】トイレの使用状況を示す正面断面図
【図９】トイレの使用状況を示す側面断面図
【図１０】制御部の第１の動作を示すフローチャート
【図１１】制御部の第１の動作を示すフローチャート
【図１２】制御部の第１の動作を示すフローチャート
【図１３】トイレの使用状況を示す側面断面図
【図１４】トイレの使用状況を示す側面断面図
【図１５】制御部の第２の動作を示すフローチャート
【図１６】本発明のトイレ監視システムを備えた第２の実施形態を示すトイレの正面断面図
【図１７】補助部材の動作を示すトイレの正面断面図
【発明を実施するための形態】
【００１２】
図１乃至図１５は本発明の第１の実施形態を示すもので、病院や介護施設等のトイレに用いられ、トイレ使用者の使用状況を監視するためのトイレ監視システムを示すものである。
【００１３】
同図に示すトイレは、トイレ室１内に設置された大便器２と、使用者の大便器使用動作を補助する補助部材３とを備え、トイレ室１の一側面には入退室用の扉１ａが設けられている。
【００１４】
補助部材３は、トイレ室１の内壁面に取り付けられ、大便器２に着座した使用者Ａの前方に位置することにより使用者Ａが把持可能な長尺状の部材からなる。補助部材３は、長手方向一端側をトイレ室１の壁面に固定された支持部３ａに回動自在に支持され、支持部３ａを支点に上下方向に回動自在に設けられている。補助部材３は、使用者Ａの前方位置まで回動すると支持部３ａによって水平状態に保持されるようになっており、この状態で大便器２に着座した使用者Ａが補助部材３を把持して着座姿勢を保持できるようになっている。また、補助部材３を使用しないときは、補助部材３を上方に回動して壁面側の待機位置に移動させるようになっている。
【００１５】
本実施形態のトイレ監視装置は、大便器２に着座した使用者Ａの身体を検知する第１の検知手段としての第１のセンサ１０と、補助部材３の使用を検知する第２の検知手段としての第２のセンサ２０と、トイレ室１内の所定高さ位置で使用者Ａの身体を検知する第３の検知手段としての第３のセンサ３０と、第３のセンサ３０よりも低い他の所定高さ位置で使用者Ａの身体を検知する第４の検知手段としての第４のセンサ４０と、トイレ使用状態をトイレ室１の外部に表示する外部表示手段としての外部表示灯５０と、トイレ使用状態をトイレ室１の内部に表示する内部表示手段としての内部表示灯６０と、トイレ使用状態の異常を知らせるための警報ブザー７０と、トイレ室１内の使用者Ａが外部に音声を出力可能な音声出力装置８０と、各表示灯５０，６０の表示時間を選択する表示時間選択スイッチ９０と、各表示灯５０，６０及び警報ブザー７０の動作を手動で解除するための解除スイッチ１００と、各表示灯５０，６０、警報ブザー７０及び音声出力装置８０の動作を制御する制御部１１０とを備えている。
【００１６】
第１のセンサ１０は、例えば周知の遠赤外線センサからなり、トイレ室１の内壁面に取り付けられている。第１のセンサ１０は大便器２の後方に配置され、大便器２の上方に位置する使用者Ａの身体を検知するようになっている。
【００１７】
第２のセンサ２０は、例えば周知の近接センサからなり、トイレ室１の内壁面に取り付けられている。第２のセンサ２０は補助部材３の支持部３ａの上方に配置され、補助部材３を待機位置（上方の回動位置）まで移動すると補助部材３を検知し、補助部材３を上方の回動位置から下方の回動位置へ移動すると補助部材３を検知しなくなり、この非検知状態を補助部材３の使用状態として検知するようになっている。
【００１８】
第３のセンサ３０は、例えば周知の遠赤外線センサからなり、トイレ室１の内壁面に取り付けられている。第３のセンサ３０は、所定の上方位置Ｈ1 （例えば床面から１ｍの高さ位置）に配置され、上方位置Ｈ1 に位置する使用者Ａの身体を検知するようになっている。
【００１９】
第４のセンサ４０は、例えば周知の遠赤外線センサからなり、トイレ室１の内壁面に取り付けられている。第４のセンサ４０は、所定の下方位置Ｈ2 （例えば床面から０．２ｍの高さ位置）に配置され、下方位置Ｈ2 に位置する使用者Ａの身体を検知するようになっている。
【００２０】
外部表示灯５０は、トイレ室１の外壁面に設けられ、トイレ室１の外部から目視可能な位置に配置されている。外部表示灯５０は、下方から順に配列された第１乃至第４の表示部５１，５２，５３，５４からなり、各表示部５１，５２，５３，５４は、白色、青色、黄色、赤色にそれぞれ点灯するようになっている。また、外部表示灯５０には所定の警報音を出力するブザー５５が設けられている。
【００２１】
内部表示灯６０は、トイレ室１の内壁面に設けられ、トイレ室１内の使用者Ａから目視可能な位置に配置されている。内部表示灯６０は、外部表示灯６０と同様、下方から順に配列された第１乃至第４の表示部６１，６２，６３，６４からなり、各表示部６１，６２，６３，６４は、白色、青色、オレンジ色、赤色にそれぞれ点灯するようになっている。
【００２２】
警報ブザー７０は、トイレ室１の外壁面（例えば外部表示灯５０の下方）に設けられ、所定の警報音を出力するようになっている。
【００２３】
音声出力装置８０は、補助部材３に設けられたマイク８１を備え、マイク８１で集音した音声信号を増幅器８２を介してスピーカ８３から出力するようになっている。スピーカ８３は、病院のナースステーション等、トイレ使用者を管理する管理者が視聴可能な場所に配置されている。
【００２４】
表示時間選択スイッチ９０は、第１乃至第３の選択ボタン９１，９２，９３を有し、トイレ室１の内壁面に取り付けられている。表示時間選択スイッチ９０は、互いに各表示部の表示時間が異なる第１乃至第３のモードを各選択ボタン９１，９２，９３によって選択可能になっており、第１の選択ボタン９１は第１のモード、第２の選択ボタン９２は第２のモード、第３の選択ボタン９３は第３のモードにそれぞれ対応している。
【００２５】
解除スイッチ１００は、トイレ室１の外壁面に設けられ、手動により任意に操作可能になっている。
【００２６】
制御部１１０は、主に半導体装置とそれらを接続する配線とから構成され、ＣＰＵ、ＲＡＭ等の揮発性記憶部、ハードディスクやフラッシュメモリ等の不揮発性記憶部、計時手段としてのタイマ、通信ネットワークに接続されるネットワークインターフェース等を有する、いわゆる情報処理装置として構成されている。制御部９０は、第１乃至第４のセンサ１０，２０，３０，４０、外部表示灯５０の第１乃至第４の表示部５１，５２，５３，５４、内部表示灯６０の第１乃至第４の表示部６１，６２，６３，６４、警報ブザー７０、音声出力装置８０、表示時間選択スイッチ９０及び解除スイッチ１００に接続されている。
【００２７】
また、制御部１１０には、前記第１乃至第３のモードにそれぞれ対応する第１乃至第３の表示時間が記憶されており、表示時間は第１のモード、第２のモード、第３のモードの順に長くなるように設定されている。例えば、図６に示すように、第１のモードでは、第２の表示部５２，６２（青色点灯）を表示する表示時間が「即時」、第３の表示部５３，６３（黄色点灯）を表示する第１の表示時間が「４分後」、第４の表示部５４，６４（赤色点灯）を表示する第２の表示時間が「２分後」、第４の表示部５４，６４（赤色点滅）を表示する第３の表示時間が「２分後」にそれぞれ設定されている。また、第２のモードでは、第２の表示部５２，６２（青色点灯）を表示する表示時間が「即時」、第３の表示部５３，６３（黄色点灯）を表示する第１の表示時間が「９分後」、第４の表示部５４，６４（赤色点灯）を表示する第２の表示時間が「４分後」、第４の表示部５４，６４（赤色点滅）を表示する第３の表示時間が「４分後」にそれぞれ設定されている。更に、第３のモードでは、第２の表示部５２，６２（青色点灯）を表示する表示時間が「即時」、第３の表示部５３，６３（黄色点灯）を表示する第１の表示時間が「１５分後」、第４の表示部５４，６４（赤色点灯）を表示する第２の表示時間が「５分後」、第４の表示部５４，６４（赤色点滅）を表示する第３の表示時間が「５分後」にそれぞれ設定されている。
【００２８】
前記トイレにおいては、図７乃至図９に示すように、トイレ室１内の大便器２に使用者Ａが着座することにより使用される。その際、要介助者等、大便器２への着座姿勢が不安定になりやすい使用者Ａは、補助部材３を壁側の待機位置から使用者Ａの前方位置まで回動することにより、補助部材３を把持して着座姿勢を保持することができる。また、健常者等、補助部材３を必要としない使用者は、補助部材３を待機位置に位置させたまま大便器２を使用する。
【００２９】
ここで、本実施形態のトイレ監視システムにおける制御部１１０の第１の動作について、図１０乃至図１２に示すフローチャートに基づいて説明する。即ち、第１の動作では、大便器２に着座した使用者Ａのトイレ使用時間の長さに応じて各表示灯５０，６０及び警報ブザー７０を制御するようにしている。尚、図１０乃至図１２のフローチャートは各図に示す番号で連続するものとする。
【００３０】
まず、大便器２に着座した使用者Ａが第１のセンサ１０によって検知されると（Ｓ１）、外部表示灯５０及び内部表示灯６０の第１の表示部５１，６１（白）を点灯する（Ｓ２）。これにより、トイレ使用中であることが、外部表示灯５０によって外部に表示されるとともに、内部表示灯６０によってトイレ室１内の使用者に対しても表示される。次に、要介助者等の使用者Ａが補助部材３を前方に回動し、これにより補助部材３の使用が第１のセンサ１０によって検知されると（Ｓ３）、外部表示灯５０及び内部表示灯６０における各表示部の表示時間が設定される（Ｓ４）。ここで、補助部材３の使用が検知される前に表示時間選択スイッチ９０によって第１乃至第３のモードのいずれかが選択されている場合は、選択されたモードに表示時間が設定され、表示時間選択スイッチ９０によるモード選択が行われていなかった場合は、標準的な時間として第２のモードに設定する。各モードの選択は、例えばトイレの使用時間が比較的短い使用者の場合は第１のモード、トイレの使用時間が比較的長い使用者の場合は第３のモードを使用者本人または介助者が表示時間選択スイッチ９０によって選択する。次に、使用経過時間の計時を開始するとともに（Ｓ５）、第２の表示部５２，６２（青）を点灯する（Ｓ６）。これにより、使用者Ａが補助部材３を使用していること、即ち使用者Ａが要介助者であることを各表示灯５０，６０の表示から判断することができる。また、ステップＳ３において補助部材３の使用が検知されると、音声出力装置８０をオンにする（Ｓ７）。これにより、使用者Ａがトイレ使用中に具合が悪くなった場合など、使用者Ａが音声出力装置８０のマイク８１から音声で外部に異常を伝えることができる。次に、大便器２に着座した使用者Ａの検知が継続していて（Ｓ８）、第１の表示時間が経過したときは（Ｓ９）、第３の表示部５３，６３（黄）を点灯する（Ｓ１０）。これにより、トイレ使用時間がやや長いことを各表示灯５０，６０の表示から判断することができる。次に、大便器２に着座した使用者Ａの検知が継続していて（Ｓ１１）、第２の表示時間が経過したときは（Ｓ１２）、第４の表示部５４，６４（赤）を点灯する（Ｓ１３）。これにより、トイレ使用時間がかなり長いことを各表示灯５０，６０の表示から判断することができる。更に、大便器２に着座した使用者Ａの検知が継続していて（Ｓ１４）、第３の表示時間が経過したときは（Ｓ１５）、第４の表示部５４，６４（赤）を点滅するとともに（Ｓ１６）、警報ブザー７０を作動して警報を発する（Ｓ１７）。これにより、トイレ使用時間が異常に長いことを各表示灯５０，６０の表示から判断することができるとともに、警報ブザー７０によって外部に警報されることから、外部表示灯５０の表示及び警報ブザー７０の警報に気づいた介助者等がトイレ室１内に入り、大便器２に着座したまま動けなくなった使用者Ａを救護することができる。その際、大便器２に着座した使用者Ａの検知が継続していて（Ｓ１８）、介助者等が解除スイッチ１００を操作すると（Ｓ１９）、警報ブザー７０を停止するとともに（Ｓ２０）、各表示灯５０，６０を消灯し（Ｓ２１）、タイマによる計時をリセットして（Ｓ２２）、ステップＳ１に戻る。また、ステップＳ３において補助部材３の使用が検知されず、且つ使用者Ａが検知されなくなった場合（Ｓ２３）、またはステップＳ８及びＳ９において第１の表示時間が経過する前に使用者Ａが検知されなくなった場合、或いはステップＳ１１及びＳ１２において第２の表示時間が経過する前に使用者Ａが検知されなくなった場合、またはステップＳ１４及びＳ１５において第３の表示時間が経過する前に使用者Ａが検知されなくなった場合には、それぞれ各表示灯５０，６０を消灯し（Ｓ２１）、ステップＳ１に戻る。また、ステップＳ１８及びＳ１９において解除スイッチ１００が操作される前に使用者Ａが検知されなくなった場合には、警報ブザー７０を停止するとともに（Ｓ２０９）、各表示灯５０，６０を消灯し（Ｓ２１）、タイマによる計時をリセットして（Ｓ２２）、ステップＳ１に戻る。
【００３１】
次に、本実施形態のトイレ監視システムにおける制御部１１０の第２の動作について、図１５に示すフローチャートに基づいて説明する。即ち、第２の動作では、大便器２に着座していない使用者Ａがトイレ室１内で倒れているか否かを判定して各表示灯５０，６０及び警報ブザー７０を制御するようにしている。
【００３２】
まず、図１３に示すように、トイレ室１内の使用者Ａの身体が第３のセンサ３０によって下方位置（第３のセンサ３０の高さ位置）で検知されるとともに（Ｓ３０）、使用者Ａの身体が第４のセンサ４０によって上方位置（第４のセンサ４０の高さ位置）でも検知された場合は（Ｓ３１）、ステップＳ３０に戻る。この状態は使用者Ａが起立している場合である。次に、図１４に示すように、ステップＳ３０において使用者Ａの身体が第３のセンサ３０によって下方位置で検知されているが、ステップＳ３１において使用者Ａの身体が第４のセンサ４０によって上方位置では検知されていない場合は、経過時間の計時を開始する（Ｓ３２）。この後、使用者Ａの身体が第３のセンサ３０によって下方位置で検知されるとともに（Ｓ３３）、使用者Ａの身体が第４のセンサ４０によって上方位置で検知されておらず（Ｓ３４）、この状態が所定時間（例えば１分間）継続したときは（Ｓ３５）、各表示灯５０，６０の第４の表示部５４，６４（赤）を点滅するとともに（Ｓ３６）、警報ブザー７０を作動して警報を発する（Ｓ３７）。この状態は使用者Ａが倒れている可能性のある場合である。これにより、外部表示灯５０の表示及び警報ブザー７０の警報に気づいた介助者等がトイレ室１内に入り、トイレ室１内で倒れている使用者Ａを救護することができる。その際、介助者等が解除スイッチ１００を操作すると（Ｓ３８）、警報ブザー７０を停止するとともに（Ｓ３９）、各表示灯５０，６０を消灯し（Ｓ４０）、タイマによる計時をリセットして（Ｓ４１）、ステップＳ３０に戻る。また、ステップＳ３３、Ｓ３４及びＳ３５において、所定時間が経過する前に使用者Ａの身体が第４のセンサ４０によって上方位置で検知された場合は、タイマによる計時をリセットして（Ｓ４１）、ステップＳ３０に戻る。この状態は、例えば使用者Ａの足だけが一時的に第３のセンサ３０によって検知された場合である。
【００３３】
このように、本実施形態によれば、トイレ使用経過時間の長さに応じて各表示灯５０，６０に互いに異なる複数の表示を段階的に表示させるようにしたので、各表示灯５０，６０の表示段階によりトイレ使用経過時間の長さを確認することができ、トイレの使用が異常に長い場合は何らかの異変が生じたものと判断して使用者Ａを救護することができる。この場合、使用者Ａの大便器２への着座を第１のセンサ１０によって検知し且つ補助部材３の使用を第２のセンサ２０によって検知すると、トイレ使用経過時間の計時を開始するようにしたので、トイレ使用経過時間に応じた各表示灯５０，６０の段階的な表示を補助部材３が使用された場合のみ行うことができる。これにより、補助部材３を使用しない健常者の使用時間が長い場合でも、要介助者が異常状態に陥っているものと誤認されてトイレ内に駆け込まれるという事態が発生することがなく、トイレの監視を常に的確に行うことができる。
【００３４】
また、トイレ使用状態をトイレ室１の外部に表示する外部表示灯５０と、トイレ使用状態をトイレ室１の内部に表示する内部表示灯６０とを備えているので、トイレ使用状態の表示をトイレ室１の外部の介助者等のみならず、トイレ室１内の使用者Ａに対しても表示することができる。これにより、トイレ使用状態の表示が行われていることを使用者自身がトイレ使用中に確認することができ、使用者Ａに安心感を与えることができる。
【００３５】
更に、各表示灯５０，６０を、トイレ使用経過時間に応じた各段階の表示がそれぞれ異なった色で表示されるようにしたので、表示の色の変化によってトイレ使用時間の経過を目視によって容易に確認することができ、トイレ使用中の使用者Ａの異変を速やかに察知することができる。
【００３６】
また、各表示灯５０，６０におけるトイレ使用経過時間に応じた各段階の表示時間を表示時間選択スイッチ９０によって任意に変更可能にしたので、通常のトイレ使用時間の長さが異なる複数の使用者が使用する場合でも、各段階の表示時間を使用者ごとに変更することができ、各使用者に適したトイレ使用状況の監視を行うことができる。
【００３７】
更に、トイレ室１内の使用者Ａが外部に音声を出力可能な音声出力装置８０を備えているので、使用者Ａがトイレ使用中に具合が悪くなった場合には、使用者Ａが通話不能な状態に陥っていなければ音声出力装置８０のマイク８１から音声で外部に異常を伝えることができ、各表示灯５０，６０の表示段階にかかわらず、使用者Ａが速やかに外部に救護を求めることができる。
【００３８】
この場合、音声出力装置８０を、使用者Ａの大便器２への着座が第１のセンサ１０によって検知され且つ補助部材３の使用が第２のセンサ２０によって検知されると音声の出力が可能になるように構成したので、補助部材３の使用を必要とする使用者Ａがトイレを使用する場合のみ音声出力装置８０による音声の出力を行うようにすることができ、補助部材３を使用しない健常者がトイレを使用する場合は、外部への無用な音声の出力が行われないようにすることができる。
【００３９】
また、トイレ室１内の所定高さ位置で使用者Ａの身体を検知する第３のセンサ３０と、第３のセンサ３０よりも低い他の所定高さ位置で使用者Ａの身体を検知する第４のセンサ４０とを備え、第４のセンサ４０によって使用者Ａの身体が検知され且つ第３のセンサ３０によって使用者Ａの身体が検知されていないときに、使用者Ａがトイレ室１内で倒れている可能性があるものとして所定の警報（表示部５４の赤色点滅及び警報ブザーの警報音）を発するようにしたので、警報に気づいた介助者等がトイレ室１内に入り、トイレ室１内で倒れている使用者Ａを救護することができる。これにより、使用者Ａが大便器２を使用していない場合でも使用者Ａの異変を察知することができるので、トイレを使用する使用者Ａの監視をより強化することができる。
【００４０】
尚、前記本実施形態では、補助部材３をトイレ室１の壁面に回動自在に取り付けたものを示したが、図１６及び図１７に示す第２の実施形態のようにトイレ室１の床面に沿って移動する補助部材４を用いるようにすれば、トイレ室１の壁面に補助部材を取り付けるための加工ができない場合に有利である。この補助部材４は、トイレ室１の床面に設置されたガイドレール４ａに支持され、図１７に示すようにガイドレール４ａに沿って左右方向に移動するようになっている。この場合、補助部材４を使用する際、補助部材４を大便器２の前方まで移動すると、補助部材４が第２のセンサによって検知されるようになっている。
【００４１】
また、第１及び第２の実施形態では、補助部材３，４を大便器２とは別体に設けたものを示したが、可動式の補助部材を大便器２の便座に一体に設けるようにしてもよい。
【符号の説明】
【００４２】
１…トイレ室、２…大便器、３，４…補助部材、１０…第１のセンサ、２０…第２のセンサ、３０…第３のセンサ、４０…第４のセンサ、５０…外部表示灯、５１…第１の表示部、５２…第２の表示部、５３…第３の表示部、５４…第４の表示部、６０…外部表示灯、６１…第１の表示部、６２…第２の表示部、６３…第３の表示部、６４…第４の表示部、７０…警報ブザー、８０…音声出力装置、９０…表示時間選択スイッチ、１００…解除スイッチ、１１０…制御部。
【図１】
2018175290.tif 000003
【図２】
2018175290.tif 000004
【図３】
2018175290.tif 000005
【図４】
2018175290.tif 000006
【図５】
2018175290.tif 000007
【図６】
2018175290.tif 000008
【図７】
2018175290.tif 000009
【図８】
2018175290.tif 000010
【図９】
2018175290.tif 000011
【図１０】
2018175290.tif 000012
【図１１】
2018175290.tif 000013
【図１２】
2018175290.tif 000014
【図１３】
2018175290.tif 000015
【図１４】
2018175290.tif 000016
【図１５】
2018175290.tif 000017
【図１６】
2018175290.tif 000018
【図１７】
2018175290.tif 000019